(57)【要約】【課題】レーベル画像を容易に編集することができるレーベル画像編集装置、レーベル画像編集描画システム、レーベル画像編集プログラム、およびレーベル画像編集プログラム記憶媒体とを提供する。【解決手段】データが記録されるデータ面と、そのデータ面の記録内容を視覚的に確認するためのレーベル画像が描画されるレーベル面とを有するＤＶＤに記録されるデータ及び又はそのＤＶＤから再生されるデータを解析するデータ解析部６２０と、レーベル画像中に描画される描画事項として、レーベル画像の代表画像をデータ解析部６２０による解析結果に応じて複数の候補画像の中から選択する画像選択部６３０と、レーベル画像のタイトルをデータ解析部６２０による解析結果に基いて作成するタイトル作成部６４０とを備えた。【選択図】        図４
2007274102.tif 000002
【特許請求の範囲】
【請求項１】
データが記録されるデータ面と、該データ面の記録内容を視覚的に確認するためのレーベル画像が描画されるレーベル面とを有する記録メディアについてレーベル画像を編集するレーベル画像編集装置において、
前記記録メディアに記録されるデータ及び又は該記録メディアから再生されるデータを解析するデータ解析部と、
前記レーベル画像中に描画される描画事項として、前記データ解析部による解析結果に応じた描画事項を表示する描画事項表示部とを備えたことを特徴とするレーベル画像編集装置。
【請求項２】
前記描画事項表示部によって表示された描画事項を用いて前記レーベル画像を作成する画像作成部を備えたことを特徴とする請求項１記載のレーベル画像編集装置。
【請求項３】
前記描画事項表示部によって表示された描画事項を操作に応じて修正し、その修正された描画事項を用いて前記レーベル画像を作成する画像作成部を備えたことを特徴とする請求項１記載のレーベル画像編集装置。
【請求項４】
前記描画事項の複数候補から、前記データ解析部による解析結果に応じた描画事項を選択する描画事項選択部を備え、
前記描画事項表示部が、前記描画事項選択部で選択された描画事項を表示するものであることを特徴とする請求項１記載のレーベル画像編集装置。
【請求項５】
前記データ解析部による解析結果に基づいて前記描画事項を作成する描画事項作成部を備え、
前記描画事項表示部が、前記描画事項作成部で作成された描画事項を表示するものであることを特徴とする請求項１記載のレーベル画像編集装置。
【請求項６】
前記描画事項表示部が、前記描画事項として文字列を表示するものであることを特徴とする請求項１記載のレーベル画像編集装置。
【請求項７】
前記データが、名称を付されたデータであり、
前記データ解析部が、前記データの解析として、前記データに付された名称を解析するものであることを特徴とする請求項１記載のレーベル画像編集装置。
【請求項８】
前記データが、名称を付されたデータであり、
前記データ解析部が、前記データの解析として、前記データに付された名称を解析するものであり、
前記描画事項として、前記記録メディアのタイトルを、前記データ解析部による解析結果に基づいて作成する第１のタイトル作成部を備え、
前記描画事項表示部が、前記描画事項として、前記第１のタイトル作成部によって作成されたタイトルを表示するものであることを特徴とする請求項１記載のレーベル画像編集装置。
【請求項９】
前記描画事項表示部が、前記描画事項として画像を表示するものであることを特徴とする請求項１記載のレーベル画像編集装置。
【請求項１０】
前記データが、複数の画像を表したデータであり、
前記データ解析部が、それら複数の画像について画像解析を行うものであることを特徴とする請求項１記載のレーベル画像編集装置。
【請求項１１】
前記データが、複数の画像を表したデータであり、
前記データ解析部が、前記複数の画像について画像解析を行うものであり、
前記描画事項として、前記複数の画像のうちの１つ以上の画像を、前記データ解析部による解析結果に基づいて選択する第１の画像選択部を備え、
前記描画事項表示部が、前記描画事項として、前記第１の画像選択部によって選択された画像を表示するものであることを特徴とする請求項１記載のレーベル画像編集装置。
【請求項１２】
前記データが、複数の画像を表したデータであり、
前記データ解析部が、前記複数の画像について画像解析を行うものであり、
前記描画事項として、前記記録メディアのタイトルを、前記データ解析部による解析結果に基づいて作成する第２のタイトル作成部を備え、
前記描画事項表示部が、前記描画事項として、前記第２のタイトル作成部によって作成されたタイトルを表示するものであることを特徴とする請求項１記載のレーベル画像編集装置。
【請求項１３】
前記データが、名称を付されたデータであり、
前記データ解析部が、前記データの解析として、前記データに付された名称を解析するものであり、
前記描画事項として、複数の候補画像のうちの１つ以上の画像を、前記データ解析部による解析結果に基づいて選択する第２の画像選択部を備え、
前記描画事項表示部が、前記描画事項として、前記第２の画像選択部によって選択された画像を表示するものであることを特徴とする請求項１記載のレーベル画像編集装置。
【請求項１４】
前記描画事項表示部が、前記描画事項として前記レーベル画像のベース色を表示するものであることを特徴とする請求項１記載のレーベル画像編集装置。
【請求項１５】
前記記録メディアが、データが光で記録されるデータ面と、その光で前記レーベル画像が描画されるレーベル面とを有するものであることを特徴とする請求項１記載のレーベル画像編集装置。
【請求項１６】
データが記録されるデータ面と、該データ面の記録内容を視覚的に確認するためのレーベル画像が描画されるレーベル面とを有する記録メディアについてレーベル画像を編集するレーベル画像編集装置であって、
前記記録メディアに記録されるデータ及び又は該記録メディアから再生されるデータを解析するデータ解析部と、
前記レーベル画像中に描画される描画事項として、前記データ解析部による解析結果に応じた描画事項を表示する描画事項表示部とを備えたレーベル画像編集装置；および、
前記レーベル画像編集装置によって編集されたレーベル画像を前記レーベル面に描画するレーベル画像描画装置；
を備えたことを特徴とするレーベル画像編集描画システム。
【請求項１７】
コンピュータに組み込まれ、該コンピュータに、データが記録されるデータ面と、該データ面の記録内容を視覚的に確認するためのレーベル画像が描画されるレーベル面とを有する記録メディアについてレーベル画像を編集させるレーベル画像編集プログラムにおいて、
該コンピュータ上に、
前記記録メディアに記録されるデータ及び又は該記録メディアから再生されるデータを解析するデータ解析部と、
前記レーベル画像中に描画される描画事項として、前記データ解析部による解析結果に応じた描画事項を表示する描画事項表示部とを構築することを特徴とするレーベル画像編集プログラム。
【請求項１８】
コンピュータに組み込まれ、該コンピュータに、データが記録されるデータ面と、該データ面の記録内容を視覚的に確認するためのレーベル画像が描画されるレーベル面とを有する記録メディアについてレーベル画像を編集させるレーベル画像編集プログラムが記憶されてなるレーベル画像編集プログラム記憶媒体において、
該コンピュータ上に、
前記記録メディアに記録されるデータ及び又は該記録メディアから再生されるデータを解析するデータ解析部と、
前記レーベル画像中に描画される描画事項として、前記データ解析部による解析結果に応じた描画事項を表示する描画事項表示部とを構築するレーベル画像編集プログラムが記憶されてなることを特徴とするレーベル画像編集プログラム記憶媒体。
【発明の詳細な説明】
【技術分野】
【０００１】
本発明は、データが記録されるデータ面と、該データ面の記録内容を視覚的に確認するためのレーベル画像が描画されるレーベル面とを有する記録メディアについてレーベル画像を編集するレーベル画像編集装置、レーベル画像を編集して記録メディアのレーベル面に描画するレーベル画像編集描画システム、コンピュータを上記のようなレーベル画像編集装置として動作させるレーベル画像編集プログラム、および、そのようなレーベル画像編集プログラムが記憶されてなるレーベル画像編集プログラム記憶媒体に関する。
【背景技術】
【０００２】
近年、画像データ、動画データ、音声データ、およびテキストデータ等といった様々なデータ種類の記録データを記録する記録メディアとして、例えばＣＤ−Ｒ（Ｃｏｍｐａｃｔ  Ｄｉｓｋ  Ｒｅｃｏｒｄａｂｌｅ）やＣＤ−ＲＷ（Ｃｏｍｐａｃｔ  Ｄｉｓｋ  Ｒｅｗｒｉｔａｂｌｅ）やＤＶＤ（Ｄｉｇｉｔａｌ  Ｖｅｒｓａｔｉｌｅ  Ｄｉｓｋ）等が普及している。このような記録メディアの多くは、記録データが記録される記録面とは反対側の面が、例えば音声データが音楽を表わすものである場合のその音楽の曲名や作曲者等といった記録内容を視覚的に確認するためのレーベル画像が記載されるレーベル面として利用されている。
【０００３】
レーベル面にレーベル画像を描画する方法としては、例えば、レーベル画像が印刷されたシール等をレーベル面に貼付することで、レーベル面にレーベル画像を間接的に描画する方法や、レーベル画像をインクジェットプリンタ等を使ってレーベル面に直接に描画する方法等が挙げられる。また、近年では、データが光で記録される記録面と、その光でレーベル画像が描画されるレーベル面とを有する記録メディアや、そのような記録メディアのレーベル面にレーベル画像を光で描画する装置等も提案されている（例えば、特許文献１、又は特許文献２参照。）。
【０００４】
ここで、このようなレーベル画像の編集におけるユーザの負担を軽減する方法として、以下のような方法が提案されている。例えば、レーベル画像の材料として使われる複数の画像部品を、予め様々なデータそれぞれに対応付けて所定のデータベースに格納しておき、データを記録メディアに記録する際には、データベース内でそのデータに対応付けられている画像部品を所定のレイアウトで組み合わせることでレーベル画像を編集するという方法が提案されている（例えば、特許文献３参照。）。
【特許文献１】特開２００２−２０３３２１号公報
【特許文献２】特開２００４−２１３７９６号公報
【特許文献３】特開２００５−２７６３１３号公報
【発明の開示】
【発明が解決しようとする課題】
【０００５】
特許文献３に示す技術では、レーベル画像を編集する際には、そのレーベル画像が自動的に編集されるという点において、レーベル画像の編集におけるユーザの負担が軽減されている。
【０００６】
しかし、この技術では、様々なデータについて、レーベル画像を編集する前に、そのデータに対応付けてデータベースに格納する画像部品を一々用意しなければならず、レーベル画像を編集する前の準備段階におけるユーザの負担が大きいという問題がある。
【０００７】
本発明は、上記事情に鑑み、レーベル画像を容易に編集することができるレーベル画像編集装置と、レーベル画像を容易に編集して記録メディアのレーベル面に描画することができるレーベル画像編集描画システムと、コンピュータを上記のようなレーベル画像編集装置として動作させるレーベル画像編集プログラムと、そのようなレーベル画像編集プログラムが記憶されてなるレーベル画像編集プログラム記憶媒体とを提供することを目的とする。
【課題を解決するための手段】
【０００８】
上記目的を達成する本発明のレーベル画像編集装置は、データが記録されるデータ面と、そのデータ面の記録内容を視覚的に確認するためのレーベル画像が描画されるレーベル面とを有する記録メディアについてレーベル画像を編集するレーベル画像編集装置において、
上記記録メディアに記録されるデータ及び又はその記録メディアから再生されるデータを解析するデータ解析部と、
上記レーベル画像中に描画される描画事項として、上記データ解析部による解析結果に応じた描画事項を表示する描画事項表示部とを備えたことを特徴とする。
【０００９】
ここで、本発明のレーベル画像編集装置において、「上記描画事項表示部によって表示された描画事項を用いて上記レーベル画像を作成する画像作成部を備えた」という形態や、
「上記描画事項表示部によって表示された描画事項を操作に応じて修正し、その修正された描画事項を用いて上記レーベル画像を作成する画像作成部を備えた」という形態は典型的な形態である。
【００１０】
本発明のレーベル画像編集装置によれば、例えばユーザが記録内容をイメージできる画像やタイトル等といった描画事項が、上記データ解析部による解析結果に基いて自動的に表示される。そして、そのように表示された描画事項、あるいは、その表示された描画事項に修正が加えられたものでレーベル画像を構成する等といった典型的な運用によりレーベル画像を容易に得ることができる。従って、本発明のレーベル画像編集装置によれば、例えばレーベル画像の編集に使われる描画事項を、記録メディアに記録されるデータに対応付けて予め用意する等といった準備の必要が無く、レーベル画像の編集および編集の準備の両方においてユーザの負担が軽減される。つまり、本発明のレーベル画像編集装置によれば、レーベル画像を容易に編集することができる。
【００１１】
また、本発明のレーベル画像編集装置において、「上記描画事項の複数候補から、上記データ解析部による解析結果に応じた描画事項を選択する描画事項選択部を備え、
上記描画事項表示部が、上記描画事項選択部で選択された描画事項を表示するものである」という形態や、
「上記データ解析部による解析結果に基づいて上記描画事項を作成する描画事項作成部を備え、
上記描画事項表示部が、上記描画事項作成部で作成された描画事項を表示するものである」という形態は好ましい形態である。
【００１２】
これらの好ましい形態のレーベル画像編集装置によれば、上記描画事項に上記データ解析部による解析結果を確実に反映させることができる。
【００１３】
また、本発明のレーベル画像編集装置において、「上記描画事項表示部が、上記描画事項として文字列を表示するものである」という形態も好ましい形態である。
【００１４】
この好ましい形態のレーベル画像編集装置によれば、例えば、上記データ面の記録内容を簡略な文字列で表記したタイトル等といった好ましい描画事項を表示することができる。
【００１５】
また、本発明のレーベル画像編集装置において、「上記データが、名称を付されたデータであり、
上記データ解析部が、上記データの解析として、上記データに付された名称を解析するものである」という形態や、
「上記データが、名称を付されたデータであり、
上記データ解析部が、上記データの解析として、上記データに付された名称を解析するものであり、
上記描画事項として、上記記録メディアのタイトルを、上記データ解析部による解析結果に基づいて作成する第１のタイトル作成部を備え、
上記描画事項表示部が、上記描画事項として、上記第１のタイトル作成部によって作成されたタイトルを表示するものである」という形態も好ましい。
【００１６】
これらの好ましい形態のレーベル画像編集装置によれば、上記データに付された名称を介して、上記描画事項に上記データ面の記録内容を確実に反映させることができる。特に後者の形態によれば、そのような記録内容が確実に反映された描画事項として、上記タイトルを得ることができる。
【００１７】
また、本発明のレーベル画像編集装置において、「上記描画事項表示部が、上記描画事項として画像を表示するものである」という形態も好ましい形態である。
【００１８】
この好ましい形態のレーベル画像編集装置によれば、例えば、上記データ面の記録内容をイメージさせる画像等といった好ましい描画事項を表示することができる。
【００１９】
また、本発明のレーベル画像編集装置において、「上記データが、複数の画像を表したデータであり、
上記データ解析部が、それら複数の画像について画像解析を行うものである」という形態や、
「上記データが、複数の画像を表したデータであり、
上記データ解析部が、上記複数の画像について画像解析を行うものであり、
上記描画事項として、上記複数の画像のうちの１つ以上の画像を、上記データ解析部による解析結果に基づいて選択する第１の画像選択部を備え、
上記描画事項表示部が、上記描画事項として、上記第１の画像選択部によって選択された画像を表示するものである」という形態も好ましい形態である。
【００２０】
これらの好ましい形態のレーベル画像編集装置によれば、上記データが画像を表わしたデータで有る場合に、上記画像解析により記録内容を認識し、その認識を上記描画事項に反映させることで、記録内容が確実に反映されたタイトルや画像等を描画事項として表示させることができる。また、後者の形態によれば、データが表わす画像の中から、記録内容を代表的に表す代表画像を描画事項として選択することができる。
【００２１】
また、本発明のレーベル画像編集装置において、「上記データが、複数の画像を表したデータであり、
上記データ解析部が、上記複数の画像について画像解析を行うものであり、
上記描画事項として、上記記録メディアのタイトルを、上記データ解析部による解析結果に基づいて作成する第２のタイトル作成部を備え、
上記描画事項表示部が、上記描画事項として、上記第２のタイトル作成部によって作成されたタイトルを表示するものである」という形態も好ましい。
【００２２】
この好ましい形態のレーベル画像編集装置によれば、上記データが画像を表わしたデータで有る場合に、上記データ面の記録内容が反映された描画事項として、そのデータが表わす画像が反映されたタイトルを得ることができる。
【００２３】
また、本発明のレーベル画像編集装置において、「上記データが、名称を付されたデータであり、
上記データ解析部が、上記データの解析として、上記データに付された名称を解析するものであり、
上記描画事項として、複数の候補画像のうちの１つ以上の画像を、上記データ解析部による解析結果に基づいて選択する第２の画像選択部を備え、
上記描画事項表示部が、上記描画事項として、上記第２の画像選択部によって選択された画像を表示するものである」という形態も好ましい形態である。
【００２４】
この好ましい形態のレーベル画像編集装置によれば、そのデータ面の記録内容が反映された描画事項として、上記データ面の記録内容をイメージさせる画像を、上記データに付された名称を介して得ること等ができる。
【００２５】
また、本発明のレーベル画像編集装置において、「上記描画事項表示部が、上記描画事項として上記レーベル画像のベース色を表示するものである」という形態も好ましい形態である。
【００２６】
この好ましい形態のレーベル画像編集装置によれば、例えば記録内容をイメージさせる色を上記レーベル画像のベース色として表示すること等が可能となる。
【００２７】
また、本発明のレーベル画像編集装置は、レーベル画像が印刷されたシール等がレーベル面に貼付されるタイプの記録メディアや、あるいはレーベル画像がインクジェットプリンタ等でレーベル面に描画されるタイプの記録メディア等といった様々なタイプの記録メディアに対応可能である。
【００２８】
ここで、本発明のレーベル画像編集装置において、「上記記録メディアが、データが光で記録されるデータ面と、その光で上記レーベル画像が描画されるレーベル面とを有するものである」という形態は好ましい形態である。
【００２９】
このような好ましい形態のレーベル画像編集装置によれば、データの記録とレーベル画像の描画とを同じ光を使って行うことができるので装置の一層の簡単化が図られる。
【００３０】
また、上記目的を達成する本発明のレーベル画像編集描画システムは、データが記録されるデータ面と、そのデータ面の記録内容を視覚的に確認するためのレーベル画像が描画されるレーベル面とを有する記録メディアについてレーベル画像を編集するレーベル画像編集装置であって、
上記記録メディアに記録されるデータ及び又はその記録メディアから再生されるデータを解析するデータ解析部と、
上記レーベル画像中に描画される描画事項として、上記データ解析部による解析結果に応じた描画事項を表示する描画事項表示部とを備えたレーベル画像編集装置；および、
上記レーベル画像編集装置によって編集されたレーベル画像を上記レーベル面に描画するレーベル画像描画装置；
を備えたことを特徴とする。
【００３１】
本発明のレーベル画像編集描画システムによれば、このレーベル画像編集描画システムにおけるレーベル画像編集装置によってレーベル画像を容易に編集し、そのレーベル画像を上記レーベル画像描画装置によって、例えばＣＤ−ＲやＣＤ−ＲＷやＤＶＤ等といった記録メディアのレーベル面に描画することができる。
【００３２】
また、上記目的を達成する本発明のレーベル画像編集プログラムは、コンピュータに組み込まれ、そのコンピュータに、データが記録されるデータ面と、そのデータ面の記録内容を視覚的に確認するためのレーベル画像が描画されるレーベル面とを有する記録メディアについてレーベル画像を編集させるレーベル画像編集プログラムにおいて、
そのコンピュータ上に、
上記記録メディアに記録されるデータ及び又はその記録メディアから再生されるデータを解析するデータ解析部と、
上記レーベル画像中に描画される描画事項として、上記データ解析部による解析結果に応じた描画事項を表示する描画事項表示部とを構築することを特徴とする。
【００３３】
本発明のレーベル画像編集プログラムによれば、レーベル画像を容易に編集できる上記のようなレーベル画像編集装置を容易に実現することができる。
【００３４】
また、上記目的を達成する本発明のレーベル画像編集プログラム記憶媒体は、コンピュータに組み込まれ、そのコンピュータに、データが記録されるデータ面と、そのデータ面の記録内容を視覚的に確認するためのレーベル画像が描画されるレーベル面とを有する記録メディアについてレーベル画像を編集させるレーベル画像編集プログラムが記憶されてなるレーベル画像編集プログラム記憶媒体において、
そのコンピュータ上に、
上記記録メディアに記録されるデータ及び又はその記録メディアから再生されるデータを解析するデータ解析部と、
上記レーベル画像中に描画される描画事項として、上記データ解析部による解析結果に応じた描画事項を表示する描画事項表示部とを構築するレーベル画像編集プログラムが記憶されてなることを特徴とする。
【００３５】
本発明のレーベル画像編集プログラム記録媒体は、ＦＤ（フレキシブルディスク）、ＣＤ−Ｒ、ＣＤ−ＲＷ、ＭＯ、ＤＶＤ等といった記憶媒体の他、ハードディスクやメモリチップ等であっても良い。
【００３６】
尚、上記の本発明のレーベル画像編集描画システム、本発明のレーベル画像編集プログラム、および本発明のレーベル画像編集プログラム記憶媒体については、ここではその基本形態のみを示すのにとどめるが、これは単に重複を避けるためであり、本発明にいうレーベル画像編集描画システム、レーベル画像編集プログラム、およびレーベル画像編集プログラム記憶媒体には、前述したレーベル画像編集装置の各形態に対応する各種の形態が含まれる。
【発明の効果】
【００３７】
以上、説明したように、本発明によれば、レーベル画像を容易に編集することができるレーベル画像編集装置と、レーベル画像を容易に編集して記録メディアのレーベル面に描画することができるレーベル画像編集描画システムと、コンピュータを上記のようなレーベル画像編集装置として動作させるレーベル画像編集プログラムと、そのようなレーベル画像編集プログラムが記憶されてなるレーベル画像編集プログラム記憶媒体とを得ることができる。
【発明を実施するための最良の形態】
【００３８】
以下図面を参照して本発明の実施の形態を説明する。
【００３９】
図１は、本発明のレーベル画像編集描画システムの一実施形態として動作するコンピュータシステムの外観斜視図である。
【００４０】
この図１に示すコンピュータシステム１０は、パーソナルコンピュータ１００と、そのパーソナルコンピュータ１００に接続されたＤＶＤドライブ２００とで構成されている。
【００４１】
パーソナルコンピュータ１００は、後述するように本発明のレーベル画像編集装置の一実施形態として動作するものであり、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００４２】
ＤＶＤドライブ２００は、本発明にいうレーベル画像描画装置の一例に相当し、外観上、ＤＶＤを装填するためのＤＶＤ装填口２００ａを有する。このＤＶＤドライブ２００は、データが光で記録されるデータ面と、その光でレーベル画像が描画されるレーベル面とを有するレーベル描画型のＤＶＤ３００に対応したものであり、このようなＤＶＤ３００に対する、レーザ光によるデータ面へのデータの記録と、そのレーザ光によるレーベル面へのレーベル画像の描画とを実行する機能を有している。このＤＶＤドライブ２００では、データの記録の際には、ＤＶＤ３００は、データ面が図中で下向きにされて装填され、レーベル画像の描画の際には、逆に、レーベル面が下向きにされて装填される。ここで、上記のレーベル描画型のＤＶＤ３００が、本発明にいう記録メディアの一例に相当する。
【００４３】
以下、このＤＶＤドライブ２００の内部構成について説明する。
【００４４】
図２は、図１に示すＤＶＤドライブ２００の内部構成を示すハードウェアブロック図である。
【００４５】
この図２に示すＤＶＤドライブ２００は、光ピックアップ２０１、スピンドルモータ２０２、回転検出器２０３、ＲＦ（Ｒａｄｉｏ  Ｆｒｅｑｕｅｎｃｙ）アンプ２０４、デコーダ２０５、サーボ回路２０６、ステッピングモータ２０７、モータドライバ２０８、インタフェース回路２０９、バッファメモリ２１０、エンコーダ２１１、ストラテジ回路２１２、フレームメモリ２１３、データ変換器２１４、レーザパワー自動制御（Ａｕｔｍａｔｉｃ  Ｌａｓｅｒ  Ｐｏｗｅｒ  Ｃｏｎｔｒｏｌ：ＡＬＰＣ）回路２１５、レーザドライバ２１６、および制御回路２１７を備えている。このＤＶＤドライブ２００は、図１にも示すパーソナルコンピュータ１００に、インタフェース回路２０９を介して接続されている。
【００４６】
まず、このＤＶＤドライブ２００における、ＤＶＤ３００へのデータの記録について説明する。
【００４７】
上述したようにこのＤＶＤドライブ２００は、レーベル描画型のＤＶＤに対応した装置であり、このＤＶＤドライブ２００に装填されるＤＶＤ３００は、データが光で記録されるデータ面と、その光でレーベル画像が描画されるレーベル面とを有している。
【００４８】
データの記録時には、ＤＶＤ３００は、データ面が光ピックアップ２０１と対向するように、データ面を下に向けてＤＶＤドライブ２００に装填される。装填されたＤＶＤ３００は、不図示の保持機構で保持された状態で、スピンドルモータ２０２によって回転駆動される。また、このときには、記録に最適な回転速度が制御回路２１７からサーボ回路２０６に伝えられる。さらに、スピンドルモータ２０２の回転速度が回転検出器２０３によって検出され、その回転速度を表わす速度信号もサーボ回路２０６に伝えられる。サーボ回路２０６は、両者を比較し、速度信号が表わす回転速度が、上記の最適な回転速度となるようにスピンドルモータ２０２の回転速度を制御する。
【００４９】
このように制御されたされた回転速度で回転するＤＶＤ３００のデータ面に対して、後述するように光ピックアップ２０１からレーザ光が照射されることで、そのデータ面にデータが記録される。光ピックアップ２０１は、レーザダイオード、受光素子、および集光レンズ等からなる光学系を有しており、データの記録は、レーザダイオードが発し集光レンズで集光されたレーザ光によって行なわれる。また、光ピックアップ２０１は、集光されたレーザ光のデータ面上での微小な位置決めを行なうサーボ機構や、集光レンズに対するフォーカス制御を行なうフォーカス機構を有している。これらの機構の動作が、制御回路２１７からの指示に従ったサーボ回路２０６によって制御され、正確に集光されたレーザ光が、ＤＶＤ３００のデータ面上の目標位置に正確に照射される。このとき、記録に最適なレーザ光強度が制御回路２１７からＡＬＰＣ回路２１５に伝えられる。また、光ピックアップ２０１は、レーザダイオードが発するレーザ光の強度をモニタするセンサを有しており、レーザダイオードがレーザ光を発する際には、このセンサによってモニタされたレーザ光の強度もＡＬＰＣ回路２１５に伝えられる。ＡＬＰＣ回路２１５は、両者を比較し、レーザダイオードが発するレーザ光の強度を上記の最適なレーザ光強度に一致させるための制御信号をレーザドライバ２１６に送る。
【００５０】
ここで、ＤＶＤ３００に記録されるデータは、インタフェース回路２０９を介してパーソナルコンピュータ１００から供給され、バッファメモリ２１０に一時的に記憶される。そして、このバッファメモリ２１０内のデータは、エンコーダ２１１によって適宜に読み出され、所定の符号化処理によってＤＶＤ３００への記録に適した符号化データに変換される。この符号化データはストラテジ回路２１２に供給され、このストラテジ回路２１２によって、時間軸補正等の補正処理が施された後に、レーザドライバ２１６に供給される。
【００５１】
レーザドライバ２１６は、光ピックアップ２０１のレーザダイオードを、この補正処理を経た符号化データに従って駆動する駆動信号を生成してその光ピックアップ２０１に送る。そして、光ピックアップ２０１が、上記の符号化データに従って変調されたレーザ光をデータ面に照射することで、その符号化データが、レーザ光の照射によって生じるマークでデータ面に記録されることとなる。このとき、このレーザドライバ２１６は、上記の駆動信号を生成する際には、その駆動信号に、ＡＬＰＣ回路２１５から送られた制御信号を反映させるので、データの記録が、常に、最適なレーザ光強度で行なわれることとなる。
【００５２】
次に、このＤＶＤドライブ２００における、ＤＶＤ３００に記録されたデータの再生について説明する。
【００５３】
このデータの再生の際にも、ＤＶＤ３００は、データ面が光ピックアップ２０１に対向するように装填され、スピンドルモータ２０２によって最適な回転速度で回転される。
【００５４】
データの再生時には、光ピックアップ２０１のレーザダイオードが発しＤＶＤ３００のデータ面で反射されたレーザ光が、この光ピックアップ２０１の受光素子で受光される。このとき、ＤＶＤ３００のデータ面で反射されたレーザ光の強度は、そのデータ面における上記のマークの有無に従って変化する。マークの有無は上記の符号化データに対応しているので、データ面で反射されたレーザ光が受光素子で受光されることによって得られる受光データは、そのデータ面に記録されている符号化データと同等な符号化データとなる。受光素子で得られた受光データは、ＲＦアンプ２０４によって増幅され、デコーダ２０５に送られる。デコーダ２０５は、その送られた受光データに所定の復号化処理を施すことによって、その受光データからデータを再生して制御回路２１７に送る。制御回路２１７は、その再生されたデータをインタフェース回路２０９を介してパーソナルコンピュータ１００に送る。
【００５５】
次に、このＤＶＤドライブ２００における、ＤＶＤ３００へのレーベル画像の描画について説明する。
【００５６】
上述したように、このＤＶＤドライブ２００に装填されるＤＶＤ３００は、データ面に対するデータの記録に使われた光でレーベル画像が描画されるレーベル面を有している。ここで、このレーベル面へのレーベル画像の描画には、データの記録を行う光ピックアップ２０１が使われる。そこで、レーベル画像の描画が行われる際には、ＤＶＤ３００は、レーベル面が光ピックアップ２０１に対向するように、このレーベル面を下に向けて装填されることとなる。
【００５７】
レーベル画像を表わす画像データは、インタフェース回路２０９を介してパーソナルコンピュータ１００から供給され、フレームメモリ２１３に一時的に記憶される。そして、このフレームメモリ２１３内の画像データは、データ変換器２１４によって適宜に読み出され、その画像データが表わすレーベル画像を階調値で表現した階調画像データに変換される。この階調画像データが、レーザドライバ２１６に供給される。そして、レーザドライバ２１６が、光ピックアップ２０１のレーザダイオードを、この階調画像データに従って駆動する駆動信号を生成する。
【００５８】
ここで、本実施形態で使用されるＤＶＤ３００のレーベル面は光が照射されると、その光に反応して照射された部分が薄まるレーベル色を有している。そして、このレーベル色の薄まりは、光の照射回数が多いほど強まる。本実施形態では、階調画像データが表わすレーベル画像の各部の階調値に従って、上記の駆動信号によって適宜にオン／オフされるレーザ光で、回転駆動されているＤＶＤ３００のレーベル面が繰返し走査される。その結果、レーベル面における、レーベル画像の各部に対応する部分に、そのレーベル画像の各部の階調値に応じた回数でレーザ光が照射される。これにより、レーベル面の各部分のレーベル色が適宜に薄められてレーベル画像が描画されることとなる。
【００５９】
ＤＶＤドライブ２００は、以上に説明した構成となっている。
【００６０】
次に、レーベル画像の編集について説明する。
【００６１】
本実施形態では、ＤＶＤドライブ２００に接続されたパーソナルコンピュータ１００が、本発明のレーベル画像編集装置の一実施形態として動作することで、このレーベル画像の編集が行なわれる。
【００６２】
図３は、図１および図２に示すパーソナルコンピュータ１００のハードウェア構成図である。
【００６３】
このパーソナルコンピュータ１００の本体装置１１０（図１参照）の内部には、図３に示すように、各種プログラムを実行するＣＰＵ１１１、ハードディスク装置１１３に格納されたプログラムが読み出されＣＰＵ１１１での実行のために展開される主メモリ１１２、各種プログラムやデータなどが保存されたハードディスク装置１１３、ＦＤ４１０をアクセスするＦＤドライブ１１４、ＣＤ−ＲＯＭ４２０が装填され、その装填されたＣＤ−ＲＯＭ４２０をアクセスするＣＤ−ＲＯＭドライブ１１５、図１のＤＶＤドライブ２００に接続されデータのやり取りを行なうＩ／Ｏインタフェース１１６が内蔵されており、これらの各種要素と、さらに図１にも示す画像表示装置１２０、キーボード１３０、マウス１４０は、バス１１７を介して相互に接続されている。
【００６４】
ここで、上記のＣＤ−ＲＯＭ４２０は、パーソナルコンピュータ１００を、本発明のレーベル画像編集装置の一実施形態として動作させるための、本発明のレーベル画像編集プログラムの一実施形態が記憶されてなる、本発明のレーベル画像編集プログラム記憶媒体の一実施形態に相当する。
【００６５】
そして、そのＣＤ−ＲＯＭ４２０がＣＤ−ＲＯＭドライブ１１５に装填されると、そのＣＤ−ＲＯＭ４２０に記憶されたプログラムがこのパーソナルコンピュータ１００にアップロードされてハードディスク装置１１３に書き込まれる。これにより、パーソナルコンピュータ１００はレーベル画像編集装置として動作する。
【００６６】
次に、本発明のレーベル画像編集プログラムの一実施形態、および、本発明のレーベル画像編集プログラム記憶媒体の一実施形態について説明する。
【００６７】
図４は、本発明のレーベル画像編集プログラムの一実施形態が記憶された、本発明のレーベル画像編集プログラム記憶媒体の一実施形態を示す概念図である。
【００６８】
図４に示すＣＤ−ＲＯＭ４２０は、本発明のレーベル画像編集プログラムの一実施形態であるレーベル画像編集プログラム５００が記憶されたものであり、本発明のレーベル画像編集プログラム記憶媒体の一実施形態に相当する。
【００６９】
このレーベル画像編集プログラム５００は、タイトル取得部５１０、データ解析部５２０、画像選択部５３０、タイトル作成部５４０、表示部５５０、画像修正部５６０、および画像作成部５７０で構成されている。
【００７０】
このレーベル画像編集プログラム５００の各部の詳細については、本発明のレーベル画像編集装置の一実施形態の各部の作用と併せて説明する。尚、以下の説明では、この図４に示す要素については特に図番を断らずに各図中の符号を使って参照する。
【００７１】
図５は、本発明のレーベル画像編集装置の一実施形態を示すブロック図である。
【００７２】
この図５に示す、本発明のレーベル画像編集装置の一実施形態であるレーベル画像編集装置６００は、図４のレーベル画像編集プログラム５００が図１のパーソナルコンピュータ１００にインストールされて実行されることによって構成されるものであり、タイトル取得部６１０、データ解析部６２０、画像選択部６３０、タイトル作成部６４０、表示部６５０、画像修正部６６０、画像作成部６７０、およびデータベース６８０を有する。また、この図５には、図１および図２にも示したＤＶＤドライブ２００が示されており、上記のレーベル画像編集装置６００と、このＤＶＤドライブ２００とで、本発明のレーベル画像編集描画システムの一実施形態であるレーベル画像編集描画システム７００が構成されている。
【００７３】
図４のレーベル画像編集プログラム５００が、図１のパーソナルコンピュータ１００にインストールされると、そのレーベル画像編集プログラム５００のタイトル取得部５１０、データ解析部５２０、画像選択部５３０、タイトル作成部５４０、表示部５５０、画像修正部５６０、および画像作成部５７０は、それぞれ図５に示すレーベル画像編集装置６００のタイトル取得部６１０、データ解析部６２０、画像選択部６３０、タイトル作成部６４０、表示部６５０、画像修正部６６０、および画像作成部６７０を構築する。ここで、これらレーベル画像編集装置６００の各要素は、コンピュータのハードウェアとそのコンピュータで実行されるＯＳやアプリケーションプログラムとの組合せで構成されているのに対し、図４のレーベル画像編集プログラム５００の各要素は、アプリケーションプログラムのみによって構成されている。
【００７４】
ここで、このレーベル画像編集装置６００のデータ解析部６２０は本発明にいうデータ解析部の一例に相当する。また、レーベル画像編集装置６００の画像選択部６３０は、本発明にいう描画事項選択部と第１の画像選択部と第２の画像選択部とを兼ねた一例に相当し、タイトル作成部６４０は、本発明にいう描画事項作成部と第１のタイトル作成部と第２のタイトル作成部とを兼ねた一例に相当する。また、レーベル画像編集装置６００の表示部６５０は、本発明にいう描画事項表示部の一例に相当し、画像修正部６６０と画像作成部６７０とを合わせたものが本発明にいう画像作成部の一例に相当する。
【００７５】
以下、この図５に示すレーベル画像編集装置６００の各要素を説明することによって、図４に示すレーベル画像編集プログラム５００の各要素も併せて説明する。
【００７６】
このレーベル画像編集装置６００は、後述の代表画像とタイトルという２つの描画事項を有するレーベル画像を編集するものである。ここで、本実施形態では、レーベル画像のタイトルについては、代表画像と共に自動作成することもできるし、ユーザが不図示の操作画面に対する操作によって所望のタイトルを入力することもできる。
【００７７】
タイトルを、ユーザ入力と自動作成といずれの方法で取得するかは、タイトル取得部６１０においてユーザ操作によって選択される。タイトル取得部６１０は、まず、不図示の操作画面上で、ユーザに対し、タイトルについて、入力を希望するか、あるいはこのレーベル画像編集装置６００による自動作成を希望するかを問い合わせる。ユーザが、タイトルの入力を希望した場合には、タイトル取得部６１０は、ユーザの入力操作を介してユーザが所望するタイトルを取得して、その取得したタイトルをデータ解析部６２０とタイトル作成部６４０とに送る。一方、ユーザが、タイトルの自動作成を希望した場合には、その旨をデータ解析部６２０とタイトル作成部６４０とに伝達する。
【００７８】
データ解析部６２０には、まず、ＤＶＤ３００に記録されるデータやＤＶＤ３００から再生されたデータが入力される。尚、ここでは、このデータ解析部６２０に入力されるデータがどのようにして得られたものであるか特定しないが、このデータは、例えば、ＤＶＤ３００への記録用としてパーソナルコンピュータ１００のハードディスク装置１１３に記録されていたデータをそのハードディスク装置１１３から読み出したものであっても良く、ＤＶＤ３００に記録されたデータが、ＤＶＤドライブ２００によって再生されたものであっても良い。
【００７９】
データ解析部６２０は、まず、この入力されたデータ（以下、単に入力データと呼ぶ）が、写真に代表される画像を表わす画像データや動画を表わす動画データという、画像タイプのデータであるか、音声データやテキストデータという、画像以外のタイプのデータであるかを判定する。
【００８０】
入力データが画像タイプのデータであった場合、データ解析部６２０は、その入力データに対して、例えば、画像中の人物の顔を検出する顔検出や、画像中のオブジェクトを判別するオブジェクト解析等といった複数種類の解析処理を、基本的に全て実行する。そして、解析結果を画像選択部６３０とタイトル作成部６４０と表示部６５０とに送る。ただし、タイトル取得部６１０から、ユーザが所望するタイトルが送られてきた場合には、そのタイトルに基いて、複数種類の解析処理の中から画像データや動画データに対して実行する解析処理が選定され、その選定された解析処理のみが実行されることとなる。尚、これら画像データや動画データに対する解析処理については、後で、実例を参照して詳細に説明する。
【００８１】
一方、入力データが画像以外のタイプのデータであった場合、データ解析部６２０は、上記の解析処理に替えて、以下のような処理を行う。ここで、本実施形態では、入力データは、ファイル名（本発明にいう名称の一例に相当）が付されたファイル（本発明にいう「名称を付されたデータ」の一例に相当）という形式で扱われる。データ解析部６２０は、入力データが画像以外のタイプのデータであった場合、予め用意された複数のキーワードの中から、ファイル名中に用いられているファイルの個数が最も多いキーワードを１つ選択する。また、入力データが画像以外のタイプのデータであって、かつ、タイトル取得部６１０から、ユーザが所望するタイトルが送られてきた場合には、データ解析部６２０は、複数のキーワードの中から、その所望のタイトル中に用いられているキーワードを選択する。このとき、そのようなキーワードが複数あった場合には、その所望のタイトル中における語順が最も早い１つのキーワードが選択される。このように、データ解析部６２０に入力されたデータが画像以外のタイプのデータであった場合には、画像タイプのデータであった場合とは異なり、１つのキーワードが取得され、その取得されたキーワードが、画像選択部６３０とタイトル作成部６４０と表示部６５０とに送られることとなる。
【００８２】
以上で、データ解析部６２０についての説明を終了し、次に、画像選択部６３０について説明する。また、以下でも、データ解析部６２０に入力された入力データが画像タイプのデータであった場合と、画像以外のタイプのデータであった場合とのそれぞれについて説明する。
【００８３】
入力データが画像タイプのデータであった場合、画像選択部６３０は、まず、データ解析部６２０から送られてきた解析結果に基いて、画像データが表わす画像や、動画データが表わす動画を構成する静止画の中から、レーベル画像の描画事項として、ＤＶＤ３００の記録内容をイメージさせる代表画像を１つ選択する。選択された代表画像は、表示部６５０に送られる。尚、この代表画像の選択については、上記の解析処理と併せて、後で、実例を参照して詳細に説明する。
【００８４】
一方、入力データが画像以外のタイプのデータであった場合、上記の代表画像が次のように求められる。本実施形態では、データベース６８０内に、代表画像に対する複数の候補画像が上記の複数のキーワードに一対一に対応付けられて格納されている。ファイル名やタイトルに基いて得られた１つのキーワードがデータ解析部６２０から送られてくると、画像選択部６３０は、データベース６８０内の複数の候補画像の中から、そのキーワードに対応付けられた候補画像を代表画像として選び出す。そして、選択された代表画像が、表示部６５０に送られる。
【００８５】
次に、タイトル作成部６４０の動作について、入力データが画像タイプのデータであった場合と、画像以外のタイプのデータであった場合とのそれぞれについて説明する。
【００８６】
入力データが画像タイプのデータであった場合、タイトル作成部６４０は、上記の解析結果に基いて、レーベル画像におけるタイトルを作成する。また、タイトル取得部６１０から、ユーザが所望するタイトルが送られてきた場合には、そのタイトルがレーベル画像におけるタイトルとして採用される。タイトル作成部６４０で得られたタイトルは、表示部６５０に送られる。尚、このタイトルの作成については、上記の解析処理や代表画像の決定と併せて、後で、実例を参照して詳細に説明する。
【００８７】
一方、入力データが画像以外のタイプのデータであった場合には、、データ解析部６２０から送られてきたキーワードに基いてタイトルが次のように決定される。本実施形態では、データベース６８０内に、複数のタイトル候補が上記の複数のキーワードに一対一に対応付けられて格納されている。データ解析部６２０からキーワードが送られてくると、タイトル作成部６４０は、データベース６８０内の複数のタイトル候補の中から、そのキーワードに対応付けられたタイトル候補をタイトルとして選び出す。また、タイトル取得部６１０から、ユーザが所望するタイトルが送られてきた場合には、そのタイトルがレーベル画像におけるタイトルとして採用されることとなる。
【００８８】
次に、表示部６５０、画像修正部６６０、および画像作成部６７０について説明する。
【００８９】
尚、これらの要素については、各要素の動作がデータのタイプにほとんど依らないので、上記のようなデータのタイプで場合分けをした説明は行わない。
【００９０】
表示部６５０は、画像選択部６３０から送られてきた代表画像と、タイトル作成部６４０から送られてきたタイトルとを、予め決められているレイアウトで配置して表示画面１２１（図１参照）に表示する。ここで、光によるレーベル画像の描画が可能なＤＶＤ３００には、レーベル面の元々の色であるレーベル色（本発明にいうベース色の一例に相当する）が互いに異なる複数種類が在る。表示部６５０は、これら複数種類のＤＶＤ３００の中から、データ解析部６２０から送られてきた解析結果またはキーワードに基いて、記録内容をイメージさせるレーベル色のＤＶＤ３００を決定し、そのＤＶＤ３００の型番とレーベル色とを表示画面上に表示してユーザに提示する。そして、上記の代表画像とタイトルとを、その決定した種類のＤＶＤ３００のレーベル色で表示する。ＤＶＤ３００のレーベル色の決定についても、上記の解析処理や代表画像の決定やタイトルの作成と併せて、後で、実例を参照して詳細に説明する。
【００９１】
画像修正部６６０は、表示部６５０がレーベル画像のレイアウトで表示した代表画像およびタイトルに対するユーザからの修正操作を受け付けて、その修正操作が指示する修正内容を代表画像およびタイトルの表示に反映させる。
【００９２】
画像作成部６７０は、表示部６５０が表示した代表画像およびタイトルと、画像修正部６６０が受け付けた修正操作が指示する修正内容とに基いてレーベル画像を作成してＤＶＤドライブ２００に送る。
【００９３】
ＤＶＤドライブ２００に、ＤＶＤ３００が、レーベル面を下向きにして装填されると、画像作成部６７０から送られてきたレーベル画像がそのＤＶＤ３００のレーベル面に描画される。
【００９４】
以上で、図５に示すレーベル画像編集装置６００の各要素についての説明を終了し、次に、入力データが画像タイプのデータであった場合に実行される、データに対する解析処理、代表画像の選択処理、タイトルの作成処理、およびＤＶＤ３００のレーベル色の決定処理それぞれの詳細について実例を参照して説明する。
【００９５】
尚、以下の説明では、その実例として、ＤＶＤ３００に記録されるデータが、複数人のグループが海に旅行に行った際に撮影された複数の写真を表わす複数の画像データである例を参照する。
【００９６】
まず、データに対する解析処理について説明する。
【００９７】
本実施形態では、データに対する解析処理として、データが表わす画像が複数人の人物からなるグループを被写体としたものであるか否かを解析するグループ解析や、データが表わす画像が海というオブジェクトを含んだ画像であるか否かを解析する海オブジェクト解析や、データが表わす画像が山というオブジェクトを含んだ画像であるか否かを解析する山オブジェクト解析等といった複数種類の解析処理が用意されている。
【００９８】
本実施形態では、基本的にこれら複数種類の解析処理が全てデータに対して実行される。ただし、上記のタイトル取得部６１０が、ユーザが所望するタイトルを取得した場合には、この所望のタイトルに基いて選定された解析処理のみがデータに対して実行される。例えば、「海、旅行、△△年夏」というタイトルが取得されたとする。本実施形態では、上記の複数の解析処理それぞれにタイトル用のキーワード（タイトルワード）が対応付けられている。例えば、グループ解析には「グループ」というタイトルワードが対応付けられ、海に対するオブジェクト解析には「海」というタイトルワードが対応付けられている。さらに、上記の「グループ」というタイトルワードには、「旅行」、「スポーツ」等といったサブワードが対応付けられている。まず、このタイトルに「旅行」というサブワードが含まれていることから、そのサブワードに対応付けられているグループ解析が選定される。さらに、タイトルに「海」というタイトルワードが含まれていることから、そのタイトルワードに対応付けられている海オブジェクト解析が選定される。そして、タイトルに基いて選定されたこれら２種類の解析処理が実行されることとなる。
【００９９】
ここで、上記の実例では、これら複数の解析処理のうち、グループ解析と海オブジェクト解析とにおいて、レーベル画像の作成に実質的に意味のある解析結果が得られる。そこで、以下では、上記のデータ解析の代表例として、ここでの実例に則してこの２つの解析処理について説明する。
【０１００】
まず、グループ解析について説明する。
【０１０１】
図６は、グループ解析を説明する説明図である。
【０１０２】
尚、以下の説明では、画像データと画像を特に区別せずに用いる。
【０１０３】
まず、ステップＳ１１において、上記のデータ解析部６２０に入力された複数の画像Ｇそれぞれに対して、その画像中の人物の顔が検出される。また、このステップＳ１１では、単に画像中の顔の有無が検出されるだけでなく、複数の画像に亘って同じ顔が写っているか否かの認識も行われる。例えば、図６には、複数の画像Ｇ１，Ｇ２，Ｇ３，Ｇ４，Ｇ５，…において、この同じ顔の認識が行われるという例が示されている。まず、１枚目の画像Ｇ１では「Ａ」および「Ｂ」という３種類の顔が検出され、二枚目の画像Ｇ２では、１枚目の画像Ｇ１に写っていた顔と同じ顔「Ａ」と、新たな顔「Ｅ」が検出される。また、三枚目の画像Ｇ３では、１枚目の画像Ｇ１に写っていた顔と同じ顔「Ａ」および「Ｂ」と、新たな顔「Ｃ」および「Ｄ」が検出され、四枚目の画像Ｇ４では顔が検出されず、五枚目の画像Ｇ５では、三枚目の画像Ｇ３に写っていた顔と同じ顔「Ｃ」および「Ｄ」と、二枚目の画像Ｇ２に写っていた顔と同じ顔「Ｅ」が検出される。
【０１０４】
次に、ステップＳ１２において、複数の画像に亘って写っている顔が複数種類あるか否かを調べることで、これら複数の画像が複数人の人物からなるグループを被写体としたものであるか否かが次のように判定される。図６の例では、１枚目、二枚目、および三枚目の画像Ｇ１，Ｇ２，Ｇ３に「Ａ」という顔が写っており、１枚目および三枚目の画像Ｇ１，Ｇ３に「Ｂ」という顔が写っており、三枚目および五枚目の画像Ｇ１，Ｇ３に「Ｃ」および「Ｄ」という顔が写っている。つまり、この図６の例では、「Ａ」、「Ｂ」、「Ｃ」、および「Ｄ」という４種類の顔が複数の画像に亘って写っていることとなり、図６に示されている複数の画像Ｇ１，Ｇ２，Ｇ３，Ｇ４，Ｇ５，…がグループを被写体としたものであると判定される。
【０１０５】
以上で、グループ解析における中心的な処理は終了であるが、本実施形態では、後述の代表画像の選択処理における前処理として、このグループ解析の解析対象となった複数の画像の中から、その代表画像の候補画像が、このグループ解析において次のように選択される。
【０１０６】
図６のステップＳ１３において、上記のステップＳ１２までの処理において検出された複数の顔それぞれについての検出数から、グループを構成する主な人物の顔が次のように決められる。まず、検出された各顔について、画像の全枚数に対する、その顔が検出された画像の数の割合が算出される。そして、その算出された割合が所定の割合以上となる顔が、グループを構成する主な人物の顔として決定される。図６の例では、「Ａ」、「Ｂ」、「Ｃ」、「Ｄ」、「Ｅ」、「Ｆ」、…という複数の顔それぞれについての、画像の全枚数Ｎに対する、各顔が検出された画像の数の割合が、「１０／Ｎ」、「９／Ｎ」、「７／Ｎ」、「６／Ｎ」、「２／Ｎ」、「１／Ｎ」、…というように示されている。そして、この例では、割合が「５／Ｎ」以上となる「Ａ」、「Ｂ」、「Ｃ」、および「Ｄ」がグループを構成する主な人物の顔として決定される。
【０１０７】
最後に、ステップＳ１４において、グループを構成する主な人物の顔として決定された複数の顔（図６の例では「Ａ」、「Ｂ」、「Ｃ」、および「Ｄ」）が全て写っている３枚の画像Ｇ３、Ｇ６、Ｇ７が、レーベル画像の代表画像に対する候補画像に選ばれる。
【０１０８】
以上で、グループ解析についての説明を終了し、次に海オブジェクト解析について説明する。
【０１０９】
図７は、海オブジェクト解析を説明する説明図である。
【０１１０】
まず、ステップＳ２１において、記録対象のデータが表す複数の画像Ｇそれぞれに対して、その画像中に海が写っているか否かが判定される。さらに、海が写っている画像の枚数の、画像Ｇの全枚数に対する割合が所定の割合を超えているか否かが判定され、所定の割合を超えていると判定された場合に、これらの画像が海を対象とした画像であると判定される。図７では、１枚目から４枚目までの画像Ｇ１，Ｇ２，Ｇ３，Ｇ４を含む複数の画像に海が写っている例が模式的に示されている。
【０１１１】
以上で、海オブジェクト解析における中心的な処理は終了であるが、本実施形態では、この海オブジェクト解析でも、上記のグループ解析と同様に、解析対象の画像の中から、代表画像の候補画像が以下に説明するステップＳ２２において選択される。
【０１１２】
このステップＳ２２では、海が写っている画像に対して、その画像における海の画像部分の割合が算出される。図７には、１枚目の画像Ｇ１では人物の背景におけるおよそ４割程度が海で占められ、二枚目の画像Ｇ２では背景におけるおよそ２割程度が海で占められ、三枚目の画像Ｇ３では背景におけるおよそ５割程度が海で占められ、四枚目の画像Ｇ４では背景におけるおよそ８割程度が海で占められるという例がそれぞれ模式的に示されている。そして、このステップＳ２２では、海と判断される画像部分の割合が５割以上となる３枚の画像Ｇ１、Ｇ３、Ｇ４がレーベル画像の代表画像に対する候補画像に選ばれる。
【０１１３】
以上で、グループ解析と海オブジェクト解析を代表例としたデータ解析についての説明を終了し、次に、代表画像の選択処理について、引き続き上記の実例を参照して説明する。
【０１１４】
図８は、代表画像の選択処理を説明する説明図である。
【０１１５】
この図８には、上記のグループ解析および海オブジェクト解析において候補画像に選定された合計５枚の画像Ｇ３、Ｇ６、Ｇ７、Ｇ４、Ｇ１が示されている。
【０１１６】
この代表画像の選択処理では、各画像に対して次のようなポイント付けを行なう。即ち、グループ解析およびオブジェクト解析それぞれについて、対応する画像に「１」のポイントが付与される。次に、各画像について、付与されたポイントの合計が算出され、そして、そのポイントの合計が最も大きい画像が代表画像に選ばれる。図８の例では、ポイントの合計が「２」となる画像Ｇ３、即ち、上記のグループ解析およびオブジェクト解析の両方において候補画像として選定された画像Ｇ３が代表画像に選ばれる。
【０１１７】
以上で、代表画像の選択処理についての説明を終了し、次に、タイトルの作成処理について、引き続き上記の実例を参照して説明する。
【０１１８】
図９は、タイトルの作成処理を説明する説明図である。
【０１１９】
本実施形態では、上述したように、上記のデータ解析で実行される複数の解析処理それぞれにタイトルワードやサブワードが対応付けられている。グループ解析には、上述したように「グループ」というタイトルワードと「旅行」や「スポーツ」等といったサブワードが対応付けられ、海オブジェクト解析には「海」というタイトルワードが対応付けられている。そして、タイトルの作成処理では、例えば上記の実例に対するグループ解析や海オブジェクト解析のように、肯定的な結果が得られた解析処理に対応付けられているタイトルワードやサブワードが、タイトルの作成に使われる。
【０１２０】
この図９には、上記のグループ解析および海オブジェクト解析に対応付けられている２つのタイトルワードＷ１，Ｗ２と、さらに、デジタルカメラ等で撮影を行った時に画像データに付与される撮影年月日を示す情報Ｗ３も材料として使われてタイトルが作成される様子が示されている。
【０１２１】
この図９の例では、まず、「グループ」というタイトルワードＷ１と「海」というタイトルワードＷ２とに基づいて、タイトルのうちの前半Ｔ１が決定される。上述したように「グループ」というタイトルワードＷ１には、「旅行」や「スポーツ」等といったサブワードが付随している。本実施形態では、このようなサブワードが他のタイトルワードに関連付けられている。例えば、「旅行」というサブワードは「海」というタイトルワードや「山」というタイトルワード等に関連付けられている。そして、このようなサブワードが付随したタイトルワードと他のタイトルワードとが上記のデータ解析において得られた場合には、一方のタイトルワードに付随したサブワードの中から、他のタイトルワードに関連付けられたサブワードが選択される。図９の例では、「グループ」というタイトルワードＷ１に付随しているサブワードのうち、「海」というタイトルワードに関連付けられた「旅行」というサブワードが選択される。
【０１２２】
このように、レーベル画像のタイトルの前半Ｔ１を構成するタイトルワードやサブワードが選択されると、それらが所定ルールに則って配列されてタイトルの前半Ｔ１が作られる。図９には、後述の修正時にユーザが記入できる空白に続いて、「海」というタイトルワード、「旅行」というサブワードがこの順番で配列されて作られたタイトルの前半Ｔ１が示されている。
【０１２３】
また、撮影年月日を示す情報Ｗ３に基いて「△△年夏」等といったタイトルの後半Ｔ２が作られる。このタイトルの後半Ｔ２は、撮影が行われた時節を表すものである。ただし、このような後半Ｔ２は、ＤＶＤ３００への記録対象のデータに、撮影年月日等といった日付を示す情報が付与されていた場合に限り作られる。
【０１２４】
このように、タイトルの前半Ｔ１と後半Ｔ２とが作られると、これらを結合して、最終的なタイトルＴ３が決定される。
【０１２５】
以上で、タイトルの作成処理についての説明を終了し、次に、ＤＶＤ３００のレーベル色の決定処理について説明する。
【０１２６】
本実施形態では、図５に示す表示部６５０が、互いにレーベル色が異なる複数種類のＤＶＤそれぞれの型番を，上記のタイトルワードや、上述した音声データやテキストデータという、画像以外のタイプのデータについてのデータ解析で使われるキーワードのうちの一部に対応付けて記憶している。例えば、本実施形態では「海」というタイトルワードには青色のレーベル面を有するＤＶＤの型番が対応付けられている。上述した実例では、図５に示すデータ解析部６２０で「海」というタイトルワードが得られ、表示部６５０では、その「海」というタイトルワードに対応している青色がＤＶＤ３００のレーベル色に決定される。
【０１２７】
以上で、データに対する解析処理、代表画像の選択処理、タイトルの作成処理、およびＤＶＤ３００のレーベル色の決定処理それぞれの詳細についての説明を終了する。
【０１２８】
これらの処理を経て、レーベル画像における代表画像、タイトル、および、そのレーベル画像が描画されるＤＶＤ３００のレーベル色が決まると、図５に示す表示部６５０が、上述したように、代表画像とタイトルとを所定のレイアウトで配置し、それらを上記のレーベル色で表示する。
【０１２９】
図１０は、代表画像とタイトルの表示例を示す模式図である。
【０１３０】
この図１０の例では、図９において代表画像に選ばれた画像Ｇ３の、図中での上方に、図９において作成されたタイトルＴ３が配置されている。
【０１３１】
本実施形態では、上述したように、表示部６５０が表示した代表画像とタイトルとを、画像修正部６６０部において、ユーザが修正操作によって修正することができる。この修正操作では、例えば、図１０に示すタイトルＴ３における空白部分Ｔ３ａに対する所望の文字の記入等を行うことができる。また、タイトルを構成するタイトルワードやサブワードの配列や、あるいはそれらタイトルワードやサブワード自体が、ユーザのイメージにそぐわない場合に、タイトルワードやサブワードの配列を変更したり、あるいはタイトルそのものを記入し直したりすることもできる。さらに、代表画像がユーザのイメージにそぐわない場合に、表示中の代表画像をクリックすることで、代表画像として表示可能な候補画像のリストを表示させ、その候補画像の中から所望の候補画像を選ぶことで、その表示中の代表画像を候補画像に変更すること等もできる。
【０１３２】
以上のような修正作業が終了すると、図５に示す画像作成部６７０が、そのような修正済の代表画像やタイトルを使って、レーベル画像を表わす画像データを作成し、ＤＶＤドライブ２００に送る。
【０１３３】
以上に説明した本実施形態によれば、ＤＶＤに記録するデータに基いて、そのＤＶＤ用のレーベル画像を自動的に作成することができ、そのようなレーベル画像の作成におけるユーザの負担が軽減されている。
【０１３４】
尚、上記では、上記では、本発明にいう記録メディアの一例として、データが光で記録されるデータ面と、その光でレーベル画像が描画されるレーベル面とを有するレーベル描画型のＤＶＤを例示したが、本発明はこれに限るものではなく、本発明にいう記録メディアは、例えば、レーベル面への光学的な画像の出力が可能なレーベル出力型のＣＤ−ＲやＣＤ−ＲＷであっても良く、あるいは、レーベル画像が印刷されたシールがレーベル面に貼付される等といったレーベル非出力型のＤＶＤやＣＤ−ＲやＣＤ−ＲＷやフレキシブルディスク（ＦＤ）等であっても良い。また、上記ではレーベル描画型のＤＶＤの具体例については言及しなかったが、このレーベル描画型のＤＶＤとしては、例えばＬａｂｅｌｆｌａｓｈ（登録商標）対応のＤＶＤや、Ｌｉｇｈｔｓｃｒｉｂｅ（登録商標）対応のＤＶＤ等が挙げられる。ここで、Ｌａｂｅｌｆｌａｓｈ（登録商標）対応のＤＶＤを用いる場合には、Ｌａｂｅｌｆｌａｓｈ（登録商標）対応のＤＶＤドライブが必要となり、Ｌｉｇｈｔｓｃｒｉｂｅ（登録商標）対応のＤＶＤを用いる場合には、Ｌｉｇｈｔｓｃｒｉｂｅ（登録商標）対応のＤＶＤドライブが必要となる。
【０１３５】
また、上記では、本発明にいうレーベル画像描画装置の一例として、ＤＶＤの記録面とは反対側のレーベル面にレーベル画像を描画する機能を有するレーベル描画型のＤＶＤドライブ２００を例示したが、本発明はこれに限るものではなく、本発明にいうレーベル画像描画装置は、例えば、記録面中で、データが記録されない領域にレーベル画像を出力するもの等であっても良い。
【０１３６】
また、上記では、本発明にいうレーベル画像描画装置の一例として、ＤＶＤへのデータの記録とレーベル面へのレーベル画像の描画とを行なうＤＶＤドライブ２００を例示したが、本発明はこれに限るものではなく、本発明にいうレーベル画像描画装置は、例えば、レーベル非描画型の記録メディア（例えばＤＶＤやＣＤ−ＲやＣＤ−ＲＷやＦＤ等）に貼付するシールにレーベル画像を出力するプリンタであっても良く、あるいは、レーベル非出力型の記録メディアのレーベル面にレーベル画像をインク出力するレーベル用のプリンタ等であっても良い。
【０１３７】
また、上記では、本発明にいうデータ解析部の一例として、記録対象のデータが画像タイプのデータであり、さらに、ユーザがタイトルの自動作成を希望した場合には、複数種類の解析処理を基本的に全て実行するデータ解析部６２０を例示したが、本発明はこれに限るものではない。本発明のデータ解析部は、複数種類の解析処理を順次に実行し、例えば海オブジェクト解析によって多くの画像中で海の存在が確認された場合には、その後の山オブジェクト解析等については実行を省略するものであっても良い。このような形態によれば、処理の高速化が図られることとなる。
【０１３８】
また、上記では、本発明にいうタイトル作成部の一例として、画像以外のタイプのデータについては、ファイル名と複数のキーワードとに基いて、所定のデータベース内から１つのタイトル候補を選び出すタイトル作成部６４０を例示したが、本発明はこれに限るものではない。本発明のタイトル作成部は、例えば、画像以外のタイプのデータについて、ファイル名中の単語を使用頻度等に応じて適宜に選択してタイトルを作るものであっても良く、あるいは、データがテキストデータであった場合には、そのテキストデータが表わす文章中の単語を使用頻度等に応じて適宜に選択してタイトルを作るものであっても良い。また、データが音声データであった場合に、その音声データが表す内容が、音楽や会話や自然の音等といった複数種類の複数タイプの内容のどれに相当するかを音声解析によって解析し、予め用意しておいたタイトルの中からその解析結果に応じたタイトルを選択するもの等であっても良い。
【０１３９】
また、上記では、本発明にいう表示部の一例として、入力データが画像データである場合に、その画像データに対する解析処理で得られた上記のタイトルワードやサブワードに基いて、ＤＶＤのレーベル色を決定する表示部６５０を例示したが、本発明はこれに限るものではない。本発明の表示部は、例えば、入力データが画像データである場合に、その画像データが表わす画像中の色を分析し、複数のレーベル色の中から、その画像中の色に最も近いレーベル色を選択するもの等であっても良い。
【図面の簡単な説明】
【０１４０】
【図１】本発明のレーベル画像編集描画システムの一実施形態として動作するコンピュータシステムの外観斜視図である。
【図２】図１に示すＤＶＤドライブ２００の内部構成を示すハードウェアブロック図である。
【図３】図１および図２に示すパーソナルコンピュータ１００のハードウェア構成図である。
【図４】本発明のレーベル画像編集プログラムの一実施形態が記憶された、本発明のレーベル画像編集プログラム記憶媒体の一実施形態を示す概念図である。
【図５】本発明のレーベル画像編集装置の一実施形態を示すブロック図である。
【図６】グループ解析を説明する説明図である。
【図７】海というオブジェクトの判別を行なうオブジェクト解析を説明する説明図である。
【図８】部品取得部６３０におけるレーベル画像の代表画像の決定を説明する説明図である。
【図９】タイトル作成部６４０におけるタイトルの決定を説明する説明図である。
【図１０】代表画像とタイトルの表示例を示す模式図である。
【符号の説明】
【０１４１】
１０    コンピュータシステム
１００    パーソナルコンピュータ
１１０    本体装置
１１０ａ    ＦＤ装填口
１１０ｂ    ＣＤ−ＲＯＭ装填口
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１１７    バス
１２０    画像表示装置
１２１    表示画面
１３０    キーボード
１４０    マウス
２００    ＤＶＤドライブ
２００ａ    ＤＶＤ装填口
２０１    光ピックアップ
２０２    スピンドルモータ
２０３    回転検出器
２０４    ＲＦアンプ
２０５    デコーダ
２０６    サーボ回路
２０７    ステッピングモータ
２０８    モータドライバ
２０９    インタフェース回路
２１０    バッファメモリ
２１１    エンコーダ
２１２    ストラテジ回路
２１３    フレームメモリ
２１４    データ変換器
２１５    レーザパワー自動制御（ＡＬＰＣ）回路
２１６    レーザドライバ
２１７    制御回路
３００    ＤＶＤ
４１０    ＦＤ
４２０    ＣＤ−ＲＯＭ
５００    レーベル画像編集プログラム
５１０    タイトル取得部
５２０    データ解析部
５３０    画像選択部
５４０    タイトル作成部
５５０    表示部
５６０    画像修正部
５７０    画像作成部
６００    レーベル画像編集装置
６１０    タイトル取得部
６２０    データ解析部
６３０    画像選択部
６４０    タイトル作成部
６５０    表示部
６６０    画像修正部
６７０    画像作成部
６８０    データベース
７００    レーベル画像編集描画システム
【図１】
2007274102.tif 000003
【図２】
2007274102.tif 000004
【図３】
2007274102.tif 000005
【図４】
2007274102.tif 000006
【図５】
2007274102.tif 000007
【図６】
2007274102.tif 000008
【図７】
2007274102.tif 000009
【図８】
2007274102.tif 000010
【図９】
2007274102.tif 000011
【図１０】
2007274102.tif 000012